(57)【要約】【課題】転倒しても湯が漏れにくく、且つ、湯を注ぎやすい電気湯沸かし器を提供すること。【解決手段】上部開口部７と貯水容器５とヒータと注口８と把持部９とが設けられた本体２と、通気穴１６を有する通気部１５及び前記通気穴１６を閉塞可能な止水弁１９とが設けられた蓋体３とを有し、前記本体２の開口部７を前記蓋体３が開閉可能な電気湯沸かし器１であって、前記通気部１５の当接縁３５により定義される平面Ｆに沿う前記止水弁１９の可動範囲Ａの中心Ｏａに対し、前記通気穴１６の中心Ｏｂを反注口８側に偏心させたことで、前記貯水容器５内の湯を注出する際に、前記止水弁１９の後縁と前記通気穴１６の後縁との間に隙間Ｇが形成されるので、良好に湯を注出することができるのに対し、前記本体２が転倒した際には、前記止水弁１９が前記通気穴１６を完全に塞ぎ、湯を漏らさないようにすることができる。【選択図】図２
2011135924.tif 000002
【特許請求の範囲】
【請求項１】
上部に開口部が形成された本体と、この本体開口部に開閉自在に取り付けられる蓋体とを有し、前記本体が、貯水容器と、この貯水容器内に貯められた水を加熱するヒータと、前記貯水容器内の水を注出するための注口と、把持部とを有し、前記蓋体が、通気穴を有する通気部と、この通気部の縁に当接して前記通気穴を閉塞可能な止水弁とを有する電気湯沸かし器において、
前記通気部の当接縁により定義される平面上における前記止水弁の可動範囲の中心に対し、前記通気部の通気穴を反注口側に偏心させたことを特徴とする電気湯沸かし器。
【請求項２】
前記電気湯沸かし器の直立時に前記止水弁を支持する支持部を有すると共に、この支持部上における前記止水弁の支持位置の中心を、前記止水弁の可動範囲の中心に対して反注口側に偏心させたことを特徴とする請求項１記載の電気湯沸かし器。
【請求項３】
前記止水弁の可動範囲が注口側から反注口側にかけて長く形成されることを特徴とする請求項２に記載の電気湯沸かし器。
【発明の詳細な説明】
【技術分野】
【０００１】
本発明は、把持した本体を傾けて注ぎ口から湯を注ぐことができる電気湯沸かし器に関するものである。
【背景技術】
【０００２】
従来、この種の電気湯沸かし器としては、ヒータ及び内容器（本願発明の貯水容器に相当する）を有する器体（本願発明の本体に相当する）と、この器体の上端開口を閉じる蓋体とを備え、この蓋体に、弁口（本願発明の通気穴に相当する）と転倒時止水弁を設けたものが知られている（例えば、特許文献１参照。）。そして、このような電気湯沸かし器は、直立時に前記内容器内で発生した蒸気が前記弁口から外部に放出されると共に、転倒時に前記転倒時止水弁が前記弁口に当接することで、前記内容器内の水や湯が前記弁口から外部に漏れないようになっている。
【先行技術文献】
【特許文献】
【０００３】
【特許文献１】特開２００９−１７２１０９号公報
【発明の概要】
【発明が解決しようとする課題】
【０００４】
しかしながら、このような電気湯沸かし器は、ハンドルを持って前記器体を傾けて注口から湯を注ぐ際に、前記止水弁が前記弁口を塞いでしまうことがある。この際、湯が注出経路に満ちていると、前記内容器内に外気が流入することができないので、注口から湯を注ぎにくくなるという問題があった。
【０００５】
本発明は以上の問題点を解決し、転倒しても湯が漏れにくく、且つ、湯を注ぎやすい電気湯沸かし器を提供することを目的とする。
【課題を解決するための手段】
【０００６】
本発明の請求項１に記載の電気湯沸かし器は、上部に開口部が形成された本体と、この本体開口部に開閉自在に取り付けられる蓋体とを有し、前記本体が、貯水容器と、この貯水容器内に貯められた水を加熱するヒータと、前記貯水容器内の水を注出するための注口と、把持部とを有し、前記蓋体が、通気穴を有する通気部と、この通気部の縁に当接して前記通気穴を閉塞可能な止水弁とを有する電気湯沸かし器において、前記通気部の当接縁により定義される平面上における前記止水弁の可動範囲の中心に対し、前記通気部の通気穴を反注口側に偏心させたものである。
【０００７】
また、本発明の請求項２に記載の電気湯沸かし器は、請求項１において、前記本体の直立時に前記止水弁を支持する支持部を有すると共に、この支持部上における前記止水弁の支持位置の中心を、前記止水弁の可動範囲の中心に対して反注口側に偏心させたものである。
【０００８】
更に、本発明の請求項３に記載の電気湯沸かし器は、請求項２において、前記止水弁の可動範囲が注口側から反注口側にかけて長く形成されるものである。
【発明の効果】
【０００９】
本発明の請求項１に記載の電気湯沸かし器は、以上のように構成することにより、前記把持部を把持して前記本体を前記注口側に傾斜させると、前記貯水容器内の湯が前記注口から注出される。この際、前記止水弁が前記注口側に移動して前記通気部の縁に当接するが、前記通気部の通気穴の中心が、前記止水弁の可動範囲の中心から反注口側に偏心していることで、前記通気穴の側縁と前記止水弁の側縁との間に隙間が形成されるので、この隙間から外気が前記貯水容器内に流入可能となる。このように、前記貯水容器内の湯を注出している際に、注出される湯と入れ替わるように外気が前記貯水容器内に流入することで、湯を良好に注出することができる。一方、前記本体が反注口側或いは側方に倒れた場合、前記止水弁が反注口側或いは側方に移動して前記通気部の当接縁に当接し、前記通気穴を塞ぐので、この通気穴から湯が流出しないようにすることができる。
【００１０】
また、前記本体の直立時に前記止水弁を支持する支持部を有すると共に、この支持部上における前記止水弁の支持位置の中心を、前記止水弁の可動範囲の中心に対して反注口側に偏心させたことにより、前記本体が側方に倒れた際に前記通気穴を確実に塞いで、この通気穴から湯が流出しないようにすることができる。
【００１１】
更に、前記止水弁の可動範囲が注口側から反注口側にかけて長くなるように形成したことにより、湯を注出するために前記本体を前傾させた際に、前記止水弁と通気穴との間に確実に隙間を形成させ、湯を良好に注出させることができる。
【図面の簡単な説明】
【００１２】
【図１】本発明の一実施形態を示す電気湯沸かし器の右側面図である。
【図２】同、一部断面図である。
【図３】同、直立時における要部の拡大断面図である。
【図４】同、前傾時における要部の拡大断面図である。
【図５】同、後倒時における要部の拡大断面図である。
【図６】同、直立時における通気穴と止水弁の位置関係を示す概略図である。
【図７】同、前傾時における通気穴と止水弁の位置関係を示す概略図である。
【図８】同、後倒時における通気穴と止水弁の位置関係を示す概略図である。
【図９】同、左倒時における通気穴と止水弁の位置関係を示す概略図である。
【図１０】同、転倒後、安定した状態における通気穴と止水弁の位置関係を示す概略図である。
【発明を実施するための形態】
【００１３】
以下、本発明の実施形態について、図１乃至図１０に基づいて説明する。なお、本実施形態において、図１〜図３及び図６の左側を前、右側を後とする。１は電気湯沸かし器である。この電気湯沸かし器１は、本体２と、蓋体３と、給電台４とで構成されている。
【００１４】
前記本体２は、貯水容器５と、この貯水容器５の外周を覆うように設けられた外ケース６と、前記貯水容器５の底部に設けられて、この貯水容器５内の水を加熱するためのヒータ（図示せず）と、前記外ケース６の底部に設けられて、前記ヒータに電力を供給するための受電端子（図示せず）とを有する。また、前記本体２は、その上部に開口部７を有しており、この開口部７によって前記貯水容器５が露出可能となる。また、前記本体２は、その上部前側に注口８が形成されていると共に、上部後側（即ち反注口８側）に把持部９が設けられる。更に、この把持部９は、スイッチ操作部１０を有する。このスイッチ操作部１０は、前記把持部９内に設けられたスイッチ（図示せず）を操作するためのものである。
【００１５】
前記蓋体３は、前記本体２の開口部７に対して着脱自在に取り付けられる。そして、前記蓋体３は、上蓋部材１１と、下蓋部材１２と、この下蓋部材１２に設けられて前記貯水容器５内の湯を前記注口８に導くための注出路１３と、この注出路１３を開閉するための開閉機構１４と、前記貯水容器５内で発生した水蒸気を前記電気湯沸かし器１の外に放出させるための通気部１５と、前記本体２が転倒した際に前記通気部１５の通気穴１６を閉塞するための弁機構１７とを有して構成される。なお、前記通気穴１６は、平面視で円形に形成されている。
【００１６】
前記通気部１５及び弁機構１７について詳述する。前記弁機構１７は、弁室１８と、止水弁１９とを有して構成される。前記弁室１８は、前記下蓋部材１２に形成された弁室下部２０と、前記通気部１５と一体に形成された弁室上部２１と、これら弁室下部２０と弁室上部１５とで挟持されるパッキン２２を有して構成される。前記弁室下部２０は、貫通孔２３と、この貫通孔２３のほぼ中央に設けられると共に前記本体２の直立時に前記止水弁１９を支持するための支持部２４と、この支持部２４を支持するための複数のリブ２５を有する。なお、前記支持部２４とリブ２５は、前記下蓋部材１２と一体に形成される。そして、前記貯水容器５内で発生した水蒸気は、前記貫通孔２３と支持部２４とリブ２５とで囲まれた領域を通じて、前記弁室１８内に流入可能である。また、前記支持部２４は、この支持部２４の中心よりも後方に偏って設けられると共に前記本体２の直立時に水平となる底部２６と、この底部２６の前方に設けられると共に前方から後方に向かって低くなり、最低部で前記底部２６に繋がるように形成された案内部２７と、前記底部２６及び案内部２７の周囲を囲むように設けられると共に前記止水弁１９の可動範囲を規制する規制部２８とを有して構成される。なお、前記底部２６は、前記本体２の直立時における前記止水弁１９の支持位置となり、略円形に形成されると共に、その中心Ｏｄが前記支持部２４の中心よりも後方に偏って設けられる。また、前記規制部２８は、前後に長い長円形に形成される。
【００１７】
前記止水弁１９は金属製である。この止水弁１９は、図３に示すように、円形の当接面２９を有する短円筒部３０と、円形の接地面３１を有する裁頭逆円錐部３２とで一体且つ軸対称に構成されている。そして、前記当接面２９及び接地面３１は、何れも平面状である。即ち、前記当接面２９と前記接地面３１は、互いに平行且つ同軸である。また、前記当接面２９は、前記接地面３１よりも径大である。また、前記接地面３１の径は、前記支持部２４の底部２６の径とほぼ等しく形成されている。更に、前記裁頭逆円錐部３２の円錐面３３と前記接地面３１の角度は、前記支持部２４の規制部２８と底部２６の角度とほぼ等しく形成されている。そして、前記止水弁１９は、前記本体２の直立時において、前記接地面３１が前記支持部２４の底部２６に乗ることで、前記支持部２４の中心よりも後方（即ち、反注口８側）に偏って支持される。
【００１８】
前記弁室上部２１は、前述したように、前記通気部１５と一体に形成される。そして、前記弁室上部２１には、前記止水弁１９の当接面２９と対向するように、前記通気部１５の通気口部３４が形成される。そして、前記通気口部３４には、前記通気穴１６が開口する。なお、前記通気口部３４の下端の当接縁３５は、前記本体２の直立時に水平となる平面Ｆを定義する。即ち、前記平面Ｆは、前記止水弁１９の当接面２９と平行である。また、前記通気穴１６の中心Ｏｂは、前記本体２の直立時において、前記止水弁１９の中心Ｏｃよりも僅かに後方となる。更に、前記止水弁１９の当接面２９と前記当接縁３５は、前記本体２が所定の角度以上傾斜した際に接すると共に、両者の間に隙間が生じない。なお、前記止水弁１９は、その当接面２９が前記当接縁３５に当接し、且つ前記円錐面３３が前記規制部２８と当接する範囲で移動可能である。そして、前記止水弁１９の可動範囲Ａは、前記支持部２４と同様に、前後にやや長い長円形となる。また、前記止水弁１９の可動範囲Ａの中心Ｏａは、前記支持部２４の中心と一致する。従って、前記本体２の直立時において、前記止水弁１９は、その中心Ｏｃがその可動範囲Ａの中心Ｏａよりも後方（即ち、反注口８側）に偏って支持される。更に、前記通気穴１６の中心Ｏｂもまた、前記止水弁１９の可動範囲Ａの中心Ｏａよりも後方（即ち、反注口８側）に距離Ｘ偏って設けられる。
【００１９】
なお、前記通気穴１６の下端における内半径をＲａ、前記止水弁１９の当接面２９の半径をＲｂ、中心Ｏａから中心Ｏｃ迄の距離をＹとすると、前傾時における中心Ｏｂから中心Ｏｃ迄の距離Ｌａ、後倒時における中心Ｏｂから中心Ｏｃ迄の距離Ｌｂ、側倒時における中心Ｏｂから中心Ｏｃ迄の距離Ｌｃは、それぞれ、
Ｌａ＝Ｙ＋Ｘ＞Ｒｂ−Ｒａ
Ｌｂ＝Ｙ−Ｘ＜Ｒｂ−Ｒａ
Ｌｃ＜Ｒｂ−Ｒａ
である。前記止水弁１９の可動範囲Ａに対する前記通気穴１６の偏心距離Ｘは、上記条件を満たすものである。
【００２０】
更に、前記通気部１５は、前記蓋体３内で分岐しており、分岐した一方が放出口３６として前記蓋体３の上面に形成された排気口３７に接続されると共に、分岐した他方が接続口３８として前記蓋体３の側面に露出する。なお、前記放出口３６と排気口３７との間には、パッキン３９が挟持される。そして、前記接続口３８は、前記把持部９内の感熱体（図示せず）が設けられた検知室４０と接続する。
【００２１】
前記給電台４は、略円盤状に形成された給電台本体４１と、この給電台本体４１の上部中央に設けられると共に前記本体２の底部に設けられた受電端子と接する給電端子（図示せず）と、先端に電源プラグ４２が設けられた電源コード４３とを有して構成される。なお、この電源コード４３は、前記給電台本体４１の下部に巻き付けられる。
【００２２】
次に、本実施形態の作用について説明する。まず、使用者は、前記給電台４から前記電源コード４３を引き出し、この電源コード４３の電源プラグ４２を、図示しない交流電源に接続する。そして、前記本体２の開口部７から前記蓋体３を取り外し、前記貯水容器５に水を貯めた後、再び前記開口部７に前記蓋体３を取り付ける。そして、前記本体２を、その底部に設けられた受電端子と前記給電台４の給電端子とを接続するように、前記給電台４に載置する。更に、前記把持部９に設けられた前記スイッチ操作部１０を操作する。このように前記スイッチ操作部１０を操作して、前記把持部９内に設けられた図示しないスイッチをオンにすることで、前記交流電源の電力は、前記電源プラグ４２、電源コード４３、給電端子及び受電端子を経て、図示しない前記ヒータに供給される。そして、前記ヒータに電力が供給されると、このヒータは発熱し、前記貯水容器５内の水を加熱する。このように、前記貯水容器５内の水が加熱されると、この水は高温となり、その一部が水蒸気となる。このように発生した水蒸気は、前記下蓋部材１２の貫通孔２３から前記弁室１８内に流入し、更に、前記通気口部３４の通気穴１６から前記通気部１５に流入し、この通気部１６の放出口３６から前記上蓋部材１１の排気口３７を経て、前記電気湯沸かし器１外に放出される。なお、前記通気部１５に流入した水蒸気の一部は、前記接続口３８から前記検知室４０に流入する。そして、この検知室４０内の図示しない感熱体は、前記検知室４０内に流入した水蒸気の温度によって、前記貯水容器５内の水が沸騰しているか否かを検知する。そして、前記感熱体が前記貯水容器５内の水の沸騰を検知すると、前記把持部９内のスイッチはオフとなる。このようにして、前記貯水容器５内の水は沸かされる。
【００２３】
このようにして沸かされた湯をカップ等に注ぐ場合、使用者は、前記開閉機構１４を操作して前記注出路１３を開放した後、前記把持部９を把持して持ち上げる。この際、前記給電台４は持ち上げられず、前記本体２から外れる。従って、前記蓋体３が取り付けられた前記本体２のみが持ち上げられる。そして、前記注口８側が低くなるように前記本体２を傾けることで、前記貯水容器５内の湯は、前記注出路１３を経て前記注口８からカップ等に注がれる。なお、このように前記蓋体３が前記開口部７に取り付けられた前記本体２が前記注口８側に所定角度以上傾けられると、前記蓋体３内の止水弁１９は、前記注口８側に移動する。この際、前記止水弁１９は、前記規制部２８に沿って前記通気口部３４側に移動する。そして、前記止水弁１９は、この止水弁１９の可動範囲Ａの中心Ｏａから前記注口８側へ面Ｆに沿って距離Ｙ移動すると、前記当接面２９が前記当接縁３５に接し、且つ前記円錐面３３が前記規制部２８に接することで停止する。この際、前記止水弁１９の前端は、この止水弁１９の可動範囲Ａの前端Ｅａに位置する。そして、この状態において、前述したように、前記本体２の前傾時における前記通気穴１６の中心Ｏｂから前記止水弁１９の中心Ｏｃ迄の距離Ｌａと、前記通気穴１６の内径Ｒａと、前記止水弁１９の外径Ｒｂとの関係が、Ｌａ＞Ｒｂ−Ｒａであることによって、前記止水弁１９の後側縁と前記通気穴１６の後側縁の間に、隙間Ｇが形成される。このように、前記止水弁１９と通気穴１６の間に隙間Ｇが形成されることによって、この隙間Ｇから外気が前記貯水容器５と蓋体３とで囲まれる空間内に流入可能となる。即ち、注出される湯と入れ替わるように、外気は前記貯水容器５と蓋体３とで囲まれる空間内に流入する。これによって、前記貯水容器５内の湯は、注出を妨げられることなく、カップ等に良好に注がれる。なお、前述したように、前記止水弁１９の可動範囲Ａが前後に長い長円形であることにより、湯を注出するために前記本体２を前傾させた際に、前記止水弁１９を相対的に大きく前記注口８側に移動させることができるので、前記止水弁１９と通気穴１６との間に確実に隙間Ｇを形成させ、外気を前記貯水容器５と蓋体３で囲まれた空間内に流入させることができる。この結果、前記貯水容器５内の湯を前記注口８から良好に注出させることができる。
【００２４】
一方、前記貯水容器５内に水又は湯が入った状態で、前記開口部７に蓋体３が取り付けられた状態の前記本体２を倒してしまった場合、前記止水弁１９は、その支持位置（底部２６）から、重力に従って下方に移動する。即ち、前記本体２が後方に倒れた場合、前記蓋体３内の止水弁１９は、前記把持部９側、即ち反注口８側に移動する。この際、前記止水弁１９は、前記規制部２８に沿って前記通気口部３４側に移動する。そして、前記止水弁１９は、この止水弁１９の可動範囲Ａの中心Ｏａから前記把持部９側へ面Ｆに沿って距離Ｙ移動すると、前記当接面２９が前記当接縁３５に接し、且つ前記円錐面３３が前記規制部２８に接することで停止する。この際、前記止水弁１９の後端は、この止水弁１９の可動範囲Ａの後端Ｅｂに位置する。そして、この状態において、前述したように、前記本体２の後倒時における前記通気穴１６の中心Ｏｂから前記止水弁１９の中心Ｏｃ迄の距離Ｌｂと、前記通気穴１６の内径Ｒａと、前記止水弁１９の外径Ｒｂとの関係が、Ｌｂ＜Ｒｂ−Ｒａであることによって、前記止水弁１９は、隙間なく前記通気穴１６を塞ぐ。
【００２５】
また、前記本体２が側方（本例では左側だが、右側でも同様である。）に倒れた場合、前記蓋体３内の止水弁１９は左側に移動する。この際、前記止水弁１９は、前記規制部２８に沿って前記通気口部３４側に移動する。そして、前記止水弁１９は、左側へ面Ｆに沿って移動すると、前記当接面２９が前記当接縁３５に接し、且つ前記円錐面３３が前記規制部２８に接することで停止する。この際、前記止水弁１９の左端は、この止水弁１９の可動範囲Ａの左端Ｅｃに位置する。そして、この状態において、前述したように、前記本体２の側倒時における前記通気穴１６の中心Ｏｂから前記止水弁１９の中心Ｏｃ迄の距離Ｌｃと、前記通気穴１６の内径Ｒａと、前記止水弁１９の外径Ｒｂとの関係が、Ｌｃ＜Ｒｂ−Ｒａであることによって、前記止水弁１９は、隙間なく前記通気穴１６を塞ぐ。なお、前述したように、前記本体２の直立時において、前記止水弁１９が、その可動範囲Ａの中心Ｏａよりも後方（即ち、反注口８側）に偏って支持されるので、前記本体２が側方に倒れた場合でも、前記通気穴１６の中心Ｏｂから前記止水弁１９の中心Ｏｃ迄の距離Ｌｃが大きくならない。このため、Ｌｃは確実にＲｂ−Ｒａよりも小さくすることができる。
【００２６】
なお、前記本体２が後方に倒れた場合、前記把持部９のみがテーブル天板等の水平面に接した状態では不安定なので、更に左右何れかの方向に倒れる。一方、前記本体２が側方に倒れた場合、この本体２が、前記把持部９側が重い重量バランスになっているため、この把持部９がテーブル天板等の水平面に接するまで転がる。即ち、前記本体２は、何れの方向に倒れたとしても、その重量バランスによって、前記本体２の側面と前記把持部９がテーブル天板等の水平面に接触した、斜め後方に倒れたのと等しい姿勢で安定する。この状態においても、前記通気穴１６の中心Ｏｂから前記止水弁１９の中心Ｏｃ迄の距離Ｌｄと、前記通気穴１６の内径Ｒａと、前記止水弁１９の外径Ｒｂとの関係が、Ｌｄ＜Ｒｂ−Ｒａであり、前記止水弁１９は、隙間なく前記通気穴１６を塞ぐ。なお、前記本体２が前方或いは斜め前方に倒れた場合、前記通気穴１６と止水弁１９との間に隙間Ｇが生じ、この隙間から水或いは湯が漏れる可能性がある。しかしながら、前述したように、倒れた前記本体２は、その重量バランスによって更に動き、斜め後方に倒れたのと等しい姿勢となり、この結果、前記止水弁１９が前記通気穴１６を完全に塞ぐ。従って、仮に前記貯水容器５内の水又は湯が前記通気穴１６から漏れたとしても、最小限に抑えることができる。
【００２７】
そして、注出のために前方に傾けた前記本体２を起こすと、前記止水弁１９は、前記支持部２４上に戻る。同様に、倒れた前記本体２を起こすと、前記止水弁１９は、前記支持部２４上に戻る。この際、前記止水弁１９は、前記支持部２４の規制部２８に沿って下降する。特に、前傾した状態から前記本体２を起こした場合、前記止水弁１９は、前記規制部２８及び案内部２７に沿って下降する。この結果、前記止水弁１９は、その接地面３１が前記支持部２４の底部２６に乗った図３の状態に戻る。
【００２８】
以上のように本発明は、上部に開口部７が形成された本体２と、前記開口部７に開閉自在に取り付けられる蓋体３とを有し、前記本体２が、貯水容器５と、この貯水容器５内の水を加熱する図示しないヒータと、前記貯水容器５内の水を注出するための注口８と、把持部９とを有し、前記蓋体３が、通気穴１６を有する通気部１５と、この通気部１５の通気口部３４の当接縁３５に当接して前記通気穴１６を閉塞可能な止水弁１９とを有する電気湯沸かし器１において、前記当接縁３５により定義される平面Ｆに沿う前記止水弁１９の可動範囲Ａの中心Ｏａに対し、前記通気穴１６の中心Ｏｂを反注口８側に偏心させたことにより、前記貯水容器５内の湯を注出する際に、前記止水弁１９の後縁と前記通気穴１６の後縁との間に隙間Ｇが形成されて外気が前記貯水容器５内に流入するので、良好に湯を注出することができるのに対し、前記本体２が転倒した際には、前記止水弁１９が前記通気穴１６を完全に塞ぐので、この通気穴１６から湯が流出しないようにすることができるものである。
【００２９】
また、本発明は、前記本体２の直立時に前記止水弁１９を支持する支持部２４を有すると共に、この支持部２４上における前記止水弁１９の支持位置となる底部２６の中心を、前記止水弁１９の可動範囲Ａの中心に対して反注口８側に偏心させたことにより、前記本体２が側方に倒れた際にも、前記通気穴１６を確実に塞いで、この通気穴１６から湯が流出しないようにすることができるものである。
【００３０】
更に、本発明は、前記止水弁１９の可動範囲Ａを前後に長い長円形に形成したことにより、湯を注出するために前記本体２を前傾させた際に、前記止水弁１９の後縁と前記通気穴１６の後縁との間に確実に隙間Ｇを形成させ、湯を良好に注出させることができるものである。
【００３１】
なお、本発明は以上の実施形態に限定されるものではなく、発明の要旨の範囲内で種々の変形実施が可能である。例えば、上記実施形態では、前記止水弁の可動範囲が長円形であるが、前記止水弁が左又は右に移動した状態で隙間が生じないならば、可動範囲が円形であっても構わない。
【符号の説明】
【００３２】
１  電気湯沸かし器
２  本体
３  蓋体
５  貯水容器
７  開口部
８  注口
９  把持部
１５  通気部
１６  通気穴
１９  止水弁
２６  底部（止水弁１９の支持位置）
３５  当接縁
Ａ  止水弁１９の可動範囲
Ｆ  平面
Ｏａ  止水弁１９の可動範囲Ａの中心
Ｏｂ  通気穴１６の中心
Ｏｄ  底部２６（止水弁１９の支持位置）の中心
Ｘ  止水弁１９の可動範囲Ａに対する通気穴１６の偏心距離
【図１】
2011135924.tif 000003
【図２】
2011135924.tif 000004
【図３】
2011135924.tif 000005
【図４】
2011135924.tif 000006
【図５】
2011135924.tif 000007
【図６】
2011135924.tif 000008
【図７】
2011135924.tif 000009
【図８】
2011135924.tif 000010
【図９】
2011135924.tif 000011
【図１０】
2011135924.tif 000012